Podtech/llm-jp-corpus-v4-ja_patent huggingface dataset:
(57)【要約】      （修正有）【課題】可燃性の廃棄物を処理する際の排ガスの燃焼による、悪臭、煙をクリアーする燃焼装置を提供する。【解決手段】燻焼による排ガスの処理に当たりインナーパイプ２をセラミックパイプ１の上端に吊し金具で中心に掛け、セラミックパイプ１を熱する丸炉３ヒーター４で囲い、その丸炉３ヒーター４の放熱防止に断熱材５を設け外板箱６でそれを固定する。これにより燻焼炉１１から排気ガスは８００℃に加熱されたセラミックパイプ１内を通過する際ほぼ完全に無臭無煙として放出される。【選択図】図１
0003143396.tif 000002
【実用新案登録請求の範囲】
【請求項１】
インナーパイプを押入したセラミックパイプに外側から丸炉ヒーターで囲いそれを断熱材で巻き外板箱で固定し、一定温度を保つ自動温度調節をセンサーでコントロールする排気ガス燃焼処理装置
【考案の詳細な説明】
【技術分野】
【０００１】  本考案は可燃性の廃棄物を処理炉の燻焼により排ガスの燃焼処理装置に関する物である。
【背景技術】
【０００２】  一般の家庭ゴミや自社の敷地内で、社内秘密文書又試作品の焼却処分する事で、どうしてもダイオキシンの有害ガスが発生しやすく、特に水分の多いゴミやプラスチック系の燃えにくいものが混ざることから不完全燃焼状態が発生しやすく、結果として悪臭、煙が発生される。この問題を対処するために第１図の様な処理手段の燃焼装置で処分する事ができる。
【考案の開示】
【考案が解決しようとする課題】
【０００３】  可燃ゴミの熱処理によるダイオキシン等の有毒ガス体の発生とその水分を蒸発させる処理を行うような熱による手段を用い、水分の含んだガス体の処理を容易に解決しようとするものである。
【課題を解決するための手段】
【０００４】  本考案は処理炉からの排ガスを、排気管装置を通して悪臭、煙を除きその後に外気に放出する。この排気管はセラミックパイプでその囲に電熱ヒーターを持つ２分割の丸炉を装着する事で悪臭や有毒ガスを燃焼処理できる。
【考案の効果】
【０００５】  従来、排気管内に直接ニクロム線ヒーターを取り付け有害ガスを燃焼する為、斑ができるのとヒーターが切れやすく交換手間やランニングコストがかさむ割に効果があまり無い。本考案は排気管をセラミックパイプにして外側より丸炉ヒーターで排気管セラミックパイプを熱し、更にセラミックパイプ内にインナーパイプを押入し輻射熱によってインナーパイプも熱せられ、通過するガス体は完全燃焼する。
【考案を実施するための最良の形態】
【０００６】  第１図に示すように、有害ガスを燃焼処理に際し通常８００℃以上であればダイオキシン類は燃焼され処理できる、尚セラミックパイプと丸炉の隙間にセンサーバーを押入し、これを自動温度調整装置を持つコントローラーボックスにつなぎ、常に一定の温度を保つようにした装置で最良の状態でいつも処理できる。
【実施例】
【０００７】  以下添付図面に従って一実施例を説明する。
１は耐久性抜群のセラミックパイプ１で
２はそのパイプ内に吊すインナーパイプ２で輻射熱を受けて加熱が増幅される。
３は丸炉でヒーターを４を組み込んでセラミックパイプ１を熱する。
５は断熱材で炉の放熱防止で
６は外板箱ですべてを囲み一体化して支える。【０００８】  このセラミックパイプ１の一定温度に保つためにセンサーバー７をセラミックパイプ１と丸炉の間にはさみ常に８００℃以上に保持し排ガスの処理を確実に燃焼処理する。【０００９】  この８００℃に温度設定するには、常にセンサーバー７からくる温度差をリアルタイムで標示するコントロールボックス８により常に一定温度を自動的検出しコントロールします。【００１０】  本考案の一実施例は上述の如き構成からなるものであるから、燃焼装置を一体物にまとめ、燻焼炉１１からくる排ガスを誘導し、燃焼装置へ導き無臭無煙として放出する。
【図面の簡単な説明】
【００１１】
【図１】本考案のガス燃焼装置の一実施例を示す断面図である。
【符号の説明】
【００１２】  １  セラミックパイプ
２  インナーパイプ
３  丸炉
４  ヒーター
５  断熱材
６  外板箱
７  センサーバー
８  コントロールボックス
９  入力コンセント
１０  出力ヒーターコード
１１  燻焼炉
【図１】
0003143396.tif 000003
(57)【要約】      （修正有）【課題】傾斜地や段差が厳しい場所でも安定して撮影することのできる三脚を提供する。【解決手段】脚部の均等性を排し、必要箇所の脚のみを長く繰り出せるように、脚の継ぎの段数を増すとともに脚の径を太くして強度を高めた。このような構造であるから、傾斜地や段差が激しい場所では谷側に長く脚を伸ばすことにより、三脚を高い位置で安定させ操作性も損なわずに撮影が出来る。また、超焦点レンズ付着時には被写体の方向へ、強風時には風下に太い脚を向け、開脚と長さを調節する事により安定感を高めることができる。【選択図】図１
0003143391.tif 000002
【実用新案登録請求の範囲】
【請求項１】
脚部の伸高時、脚の全長が異なる映像用の三脚
【考案の詳細な説明】
【技術分野】
【０００１】  本考案は、映像用の三脚に関するものである。
【背景技術】
【０００２】  従来の三脚は、三本の脚の長さが収納及び伸高時も均等で、スタジオ内や平坦地では安定性が良く使用されている。
【考案の開示】
【考案が解決しようとする課題】
【０００３】  しかし、傾斜地や段差がある場所では安定性に欠け、映像機器の操作に問題が生じていた。また、望遠レンズ付着や風による振動や転倒防止等でも大型化で対処が求められ、重くかさ張る三脚の携行は、特に山岳写真撮影時に於いて苦痛となっていた。
【課題を解決するための手段】
【０００４】  そこで本案は、脚部の均等性を排し、必要箇所の脚のみを長く繰り出せるように脚の継ぎの段数を増す（図１）とともに、脚の径を太くして強度を高めた。
【考案の効果】
【０００５】  本考案は、このような構造であるから、傾斜地や段差が激しい場所では谷側に長く脚を伸ばす（図２）ことにより、三脚を高い位置で安定させ操作性も損なわずに撮影が出来る。また、超焦点レンズ付着時には被写体の方向へ、強風時には風下に太い脚を向け、開脚と長さを調節する事により安定感を高め、軽量コンパクトな三脚で課題を克服できた。
【考案を実施するための最良の形態】
【０００６】  本考案に係る三脚の脚を、図１に示すように脚の一本が他の脚より長く繰り出せるように、つなぎの段数を多くすると共に脚の径を太くする。
【図面の簡単な説明】
【０００７】
【図１】  本考案の脚部斜視図である
【図２】  本考案の三脚を傾斜地で使用中の斜視図である
【符号の説明】
【０００８】      １        Ｉ段目の脚
２        脚ロックナット
３        ２段目の脚
４        ３段目の脚
５        ４段目の脚
６        石突
【図１】
0003143391.tif 000003
【図２】
0003143391.tif 000004
(57)【要約】      （修正有）【課題】電力消費量を抑制するための、電力ピークカット制御システムを提供する。【解決手段】基本契約による商用電源の最大電力を低く抑え、更に最大電力がピークになる前に自動制御開閉器を作動させ電源を切る。切れると同時に切換えＳＷ（自動始動タイマー制御盤）により、発電機電源側の自動制御開閉器が作動し発電機電源が自動的に入る。商用電源から発電機電源に切替る電力ピークカット制御システムとする。【選択図】図１
0003143346.tif 000002
【実用新案登録請求の範囲】
【請求項１】
最大電力のピーク時を制御し、電力消費量を抑える電力ピークカット制御システムである。
【考案の詳細な説明】
【技術分野】
【０００１】本考案は、電力ピーク時に通常の商用電力から発電機電力に切替えＳＷ（タイマー制御）により切替わり、最大電力のピークを制御し電力消費量を抑え減少することが可能となる。
【背景技術】
【０００２】
【考案の開示】
【考案が解決しようとする課題】
【０００３】これからも起こる電力不足に対し、いかに最大電力のピークを制御し電力消費量を抑え合理的に減少するか。
【課題を解決するための手段】
【０００４】発電機を使い最大電力がピークに達する前に切替えＳＷ（タイマー制御）により商用電源から発電機電源に切替わることにより課題を解決。
【考案の効果】
【０００５】電力の契約基本料金が安くなり、電力消費量も減少する。
【図面の簡単な説明】
【０００６】
【図１】電力のピークをカットする制御システムの概観図である。
【符号の説明】
【０００７】▲１▼商用電源
▲２▼切替えＳＷ（タイマー制御）
▲３▼発電機電源
▲４▼負荷
【図１】
0003143346.tif 000003
【手続補正書】
【提出日】平成19年12月21日(2007.12.21)
【手続補正１】
【補正対象書類名】実用新案登録請求の範囲
【補正対象項目名】全文
【補正方法】変更
【補正の内容】
【実用新案登録請求の範囲】
【請求項１】
基本契約による商用電源の最大電力を低く抑え、更に最大電力がピークになる前に自動制御開閉器を作動させ電源を切る。切れると同時に切替えＳＷ（自動始動タイマー制御盤）により、発電機電源側の自動制御開閉器が作動し発電機電源が自動的に入る。商用電源から発電機電源に切替る電力ピークカット制御システム。
【手続補正２】
【補正対象書類名】明細書
【補正対象項目名】０００７
【補正方法】変更
【補正の内容】
【０００７】  ▲１▼  商用電源
▲２▼  切替えＳＷ（自動始動タイマー制御盤）
▲３▼  発電機電源
▲４▼  負荷
▲５▼  ５２−Ａ自動制御開閉器（インタロック機能付）
▲６▼  ５２−Ｂ自動制御開閉器（インタロック機能付）
【手続補正３】
【補正対象書類名】図面
【補正対象項目名】全図
【補正方法】変更
【補正の内容】
【図１】
0003143346.tif 000004
【手続補正書】
【提出日】平成20年4月15日(2008.4.15)
【手続補正１】
【補正対象書類名】実用新案登録請求の範囲
【補正対象項目名】全文
【補正方法】変更
【補正の内容】
【実用新案登録請求の範囲】
【請求項１】
遠方操作により自動制御が可能となり希望の設定された時間に自動的にスタート及び停止が可能となり、
１．  ２４時間タイマー制御（ＴＭ−１）によりＯＮの信号が与えられる事で、補助継電器（Ｘ−１）が動作し切替えセレクトスイッチを自動に切替えて置くことで発電機がスタートし、発電機より発電された発電機電源が電磁接触器（５２−Ｂ）に送られると同時に操作電源側も電磁接触器（５２−Ｂ）のコイルを作動させＯＮ（スタート）にし、
２．  それと同時に商用電源より負荷側に供給されていた電力が発電機側より電力が供給され、インタロック５２−Ｂにより商用電源側電磁接触器（５２−Ａ）が切り放され商用電源をストップ（カット）して発電機よりの電源で供給され、
３．  尚、発電機電源の必要がなくなった場合２４時間タイマー制御（ＴＭ−２）によりＯＦＦ信号が与えられる事で、補助継電器（Ｘ−２）が動作し発電機がストップ（停止）し商用電源側より送られた電源が電磁接触器（５２−Ａ）のコイルに自動的にＯＮの信号を送り切替えることで負荷側に商用電源が送られ、その時にはインタロック５２−Ａにより発電機電源側の電磁接触器（５２−Ｂ）が開放されて発電機電源も切り放される。
以上からなる電力ピークカットシステム。
【手続補正２】
【補正対象書類名】図面
【補正対象項目名】全図
【補正方法】変更
【補正の内容】
【図１】
0003143346.tif 000005
【図２】
0003143346.tif 000006
(57)【要約】      （修正有）【課題】生産性の良い、安価な、利用し易い形態で、多機能を有する、且つ高級感のあるうちわを提供する。【解決手段】熱可塑性樹脂及び天然由来の充填剤、好ましくは木質系充填材からなる複合材料で形成されているため、生産性が極めて良好であるばかりでなく、その外観は天然木製に近く、高級感を付与できたのが大きな特徴となっている。うちわと取り付け、取り外しが自在であり、持ち運びも容易である。またうちわに相対する端部に他の機能を付与したので、うちわの他孫の手、つぼ押し、筆記用具、靴べら等多機能部材としても利用可能である。【選択図】図１
0003143348.tif 000002
【実用新案登録請求の範囲】
【請求項１】
熱可塑性樹脂０〜１００重量％及び天然由来の充填剤１００〜０重量％のコンパウンドからなる縦方向に長い一体成形体であって、一方の端部に紙等のシート状うちわを差し込み固定できることを特徴とするうちわ用の柄。
【請求項２】
うちわと相対する端部に孫の手機能或いは靴べら機能或いはつぼ押し機能或いは筆記具機能を付加したことを特徴とする第１項記載のうちわ用の柄。
【請求項３】
熱可塑性樹脂含量が２０〜５０重量％及び天然由来の充填剤含量が５０〜８０重量％のコンパウンドであることを特徴とする第１、２項記載のうちわ用の柄。
【請求項４】
熱可塑性樹脂がポリプロピレン或いはポリエチレン或いはＡＢＳ或いは生分解性樹脂であり、天然由来の充填剤が木粉或いは樹皮粉或いは竹粉或いはシルバースキンであることを特徴とする第１〜３項記載のうちわ用の柄。
【請求項５】
熱可塑性樹脂が生分解性樹脂であることを特徴とする第１〜４項記載のうちわ用の柄。
【考案の詳細な説明】
【技術分野】
【０００１】  本考案は、うちわ用の柄に関する。
【背景技術】
【０００２】  従来、夏には竹製骨からなるうちわが用いられていたが、製造コストの上昇、生産性の低下という不都合を有していた。プラスチック製骨からなるうちわは安価であるが、外観的には高級感を欠いていた。また紙製シートのうちわ代替品は持ち運びに便利ではあるが機能的には満足のいくものではなかった。
【考案の開示】
【考案が解決しようとする課題】
【０００３】  本考案の課題はかかる不都合を解消することにある。即ち、生産性の低下を回避でき、安価な製造コストを維持でき、利用し易い形態を有すると共に、高級感のあるうちわを得ることを目的とした。
【課題を解決するための手段】
【０００４】  本考案では上記課題を解決するために、うちわ用の柄を熱可塑性樹脂及び天然由来の充填剤からなる複合材料で一体成形し、シート状うちわの取り付け、取り外しが自在な構造とした。またうちわ用の柄の、うちわを差し込む端部に相対する他方の端部には背中を掻ける孫の手の機能或いは靴べらの機能或いは筆記具の機能を付与した。
【考案の効果】
【０００５】  本考案のうちわ用の柄は上記のように熱可塑性樹脂及び天然由来の充填剤、好ましくは木質系充填材からなる複合材料で形成されているため、生産性が極めて良好であるばかりでなく、その外観は天然木製に近く、高級感を付与できたのが大きな特徴となっている。うちわと取り付け、取り外しが自在であり、持ち運びも容易であり、必要に応じてうちわとして利用できる。またうちわに相対する端部に他の機能を付与したので、うちわの他孫の手、つぼ押し、筆記用具、靴べら等多機能部材としても利用可能である。
【考案を実施するための最良の形態】
【０００６】  図１〜図３に本考案の実施例の１つを示す。本考案のうちわ用の柄は、図１に示すように手に持ち易く、うちわを固定できる滑らかな曲面を有する成形体である。その形状、大きさと厚み、天然木に似た外観を生かすことにより従来の製品とは異なる高級感を付与できた。
図２にはその側面を示したが、適度に湾曲しており、形状からの高級感を付与できると共に、孫の手、靴べらとして利用すること可能である。
【実施例】
【０００７】  ポリプロピレン樹脂３０重量％、木質充填剤（平均粒径５００μｍの木粉）７０重量％の組成の複合材料を射出成形し、図１〜３に示すうちわ用の柄１を得た。
寸法の概要は長さＬが１２５ｍｍ、幅Ｗが３５ｍｍ、厚みｔが２０ｍｍである。うちわの紙シート３を固定手段の溝２（溝幅２ｍｍ）に差し込み、固定することにより図１のうちわが得られた。
【産業上の利用可能性】
【０００８】  高級感のあるうちわとして利用できる他、例えば、靴べら、孫の手、つぼ押し、筆記用具として雑貨分野で利用価値がある。
【図面の簡単な説明】
【０００９】
【図１】  本考案におけるうちわの一実施例の概略説明図である。
【図２】  本考案のうちわ用の柄の概略説明図である。
【図３】  本考案のうちわ用の柄の側面の概略説明図である。
【符号の説明】
【００１０】        １      うちわ用の柄
２      柄に設けたうちわを固定する溝
３      シート状うちわ
【図１】
0003143348.tif 000003
【図２】
0003143348.tif 000004
【図３】
0003143348.tif 000005
【手続補正書】
【提出日】平成20年1月18日(2008.1.18)
【手続補正１】
【補正対象書類名】実用新案登録請求の範囲
【補正対象項目名】請求項１
【補正方法】変更
【補正の内容】
【実用新案登録請求の範囲】
【請求項１】
熱可塑性樹脂０〜１００重量％及び天然由来の充填剤１００〜０重量％コンパウンドからなる縦方向に長い一体成形体であって、一方の端部に紙等のシート状うちわを差し込み固定できることを特とするうちわの柄
を次の通りに補正致します。
【請求項１】
熱可塑性樹脂１５〜６０重量％及び天然由来の充填剤４０〜８５重量％コンパウンドからなる縦方向に長い一体成形体であって、一方の端部に紙等のシート状うちわを差し込み固定できることを特徴とするうちわの柄
【手続補正書】
【提出日】平成20年4月10日(2008.4.10)
【手続補正１】
【補正対象書類名】実用新案登録請求の範囲
【補正対象項目名】請求項１
【補正方法】変更
【補正の内容】
【請求項１】
熱可塑性樹脂１５〜６０重量％及び天然由来の充填剤４０〜８５重量％コンパウンドからなる縦方向に長い一体成形体であって、一方の端部に紙等のシート状うちわを差し込み固定できることを特徴とするうちわの柄
(57)【要約】      （修正有）【課題】婦人病の予防と治療にやくにたつ、ちつから入れるペレット（小丸薬）、ちつに薬剤をのこさない新型ひもつきペレット（小丸薬）の提供。【解決手段】消毒された薄いガーゼ１に包まれたペレット（小丸薬）は丈夫なひも３が結びつけられていることを特徴とするひも付きペレット（小丸薬）２。【選択図】図１
0003143345.tif 000002
【実用新案登録請求の範囲】
【請求項１】
0003143345.tif 000004
【考案の詳細な説明】
【技術分野】本実用新案は婦人科に用いられるひもつきペレット（小丸薬）である。
【背景技術】近年、女性の婦人病の発病率が高まっています。
生理不順、生理痛、子宮筋腫、子宮内膜症などの病気たくさんの女性の悩みとなっています。現在市場に
0003143345.tif 000003
できます、またちつに入れる葯剤はきれに溶けられない場合もあります。
【考案の開示】
本実用新案は以上の困難を克服し、病気の予防や治療などにやくにたてます。葯剤がちつにのこさないように消毒したガーゼにつつまれたペレット（小丸薬）にひもを結びつけて、使用する時ひもを伸びして、ちつの中に入れます、ひもの一端外にのこします。使用後ひもをひっぱって  ゆっくりと取り出します。ペレット（小丸薬）のかおりで子宮をきれにすることができます。使用中、仕事や運動などにさしつかえずにできることが特徴です。
【図面の簡単な説明】保存する時  図１示した平面図です。
使用する際、ひもを伸ばして、図２示した平面図です。
【図１】
0003143345.tif 000005
【図２】
0003143345.tif 000006
【手続補正書】
【提出日】平成19年12月20日(2007.12.20)
【手続補正１】
【補正対象書類名】実用新案登録請求の範囲
【補正対象項目名】全文
【補正方法】変更
【補正の内容】
【実用新案登録請求の範囲】
【請求項１】
消毒された薄いガーゼに包まれたペレット又は小丸薬は丈夫なひもが結び付けられていることを特徴とするひも付きペレットまたは小丸薬。
【手続補正２】
【補正対象書類名】明細書
【補正対象項目名】全文
【補正方法】変更
【補正の内容】
【考案の詳細な説明】
【技術分野】本実用新案は婦人科に用いられるひも付きペレットまたは小丸薬である。
【背景技術】近年、女性の婦人病の発病率が高まっています。生理不順、生理痛、子宮筋腫、子宮内膜症などの病気がたくさんの女性の悩みとなっています。今市場にある同類ものは膣に入れるときれいに溶けられない場合があります。
【考案の開示】
本実用新案は以上の困難を克服し、病気の予防や治療などにやくに立てます。薬剤が膣に残さないように消毒されたガーゼに包まれたペレットまたは小丸薬にひもを結びつけて、使用するときひもを伸ばして、膣の中に入れます、ひもの一端を外に残します。使用後、ひもを引っ張って、ゆっくりと取り出します。ペレットまたは小丸薬の芳香で子宮をきれいにして、女性ホルモンのバランスを整います、従って婦人病の予防や治療などに効果が出します。使用中、仕事や運動などに差支えずにできることが特徴です。
【図面の簡単な説明】
【図１】は、保存する時を示した平面図です。
【図２】は、使用する際、ひもを伸ばした平面図です。
【図３】は、消毒されたガーゼ。
【図４】は、ペレットまたは小丸薬。
【図５】は、丈夫なひも。
【手続補正３】
【補正対象書類名】図面
【補正対象項目名】全図
【補正方法】変更
【補正の内容】
【図１】
0003143345.tif 000007
【図２】
0003143345.tif 000008
【図３】
0003143345.tif 000009
【図４】
0003143345.tif 000010
【図５】
0003143345.tif 000011
(57)【要約】      （修正有）【課題】従来、うちわには、うちわの使用時の往復運動の回数を表示するしくみがなく、うちわの使用の度合いを視覚的に認識することが出来ないという、不都合があった。【解決手段】うちわの取っ手２の基部１にカウンター３を取り付けることにより、上の課題を解決するものである。【選択図】図１
0003143353.tif 000002
【実用新案登録請求の範囲】
【請求項１】
うちわの取っ手にカウンターを設けたカウンター付うちわ。
【考案の詳細な説明】
【技術分野】
【０００１】本考案は、うちわの一部にカウンターを付けたカウンターうちわに関するものである。
【背景技術】
【０００２】従来、カウンターとうちわは別々になっていた。
【考案の開示】
【考案が解消しようとする課題】
【０００３】従来のうちわには、うちわの使用時の往復運動の回数を表示するしくみがなかった。
【課題を解決させるための手段】
【０００４】本考案は、うちわの取っ手の一部にカウンターを取り付けることにより、上記課題を解決するものである。
【考案の効果】
【０００５】課題項１の考案によれば、うちわの使用の度合いを視覚的に認識することが出来る。
【考案を実施するための最良の形態】
【０００６】図面を参照して本考案の実施の形態を説明する。
うちわの取っ手（１）の基部（２）にカウンター取り付け部を設ける。
【図面の簡単な説明】
【図１】本発明の正面図
【図２】本発明の断面図
【符号の説明】
１．取っ手基部
２．取っ手
３．カウンター
４．
【図１】
0003143353.tif 000003
【図２】
0003143353.tif 000004
(57)【要約】      （修正有）【課題】後髪を両サイドに束ねた髪の処理が容易な、帽子を提供する。【解決手段】後髪を両サイドに振り分けて束ねている児童や園児の女の子のため、後正面の一ヶ所のくり貫きを、両サイド二ヶ所に貫き変えて、束ねている後髪を、くり貫きニヶ所からそれぞれ振り分けて出すことが出来るように構成する。【選択図】図１
0003143359.tif 000002
【実用新案登録請求の範囲】
【考案の詳細な説明】
【技術分野】
【０００１】  よく、小、中学校や幼稚園又は保育所等の校庭や園庭で、児童や園児たちが元気よく走ったり遊んだりしているのをよく見かける。
【背景技術】
【０００２】  その、校庭や園庭で、暑いときは暑さしのぎ、寒いときは寒さしのぎであろう、ほとんどの児童や園児が帽子を被っている。【０００３】  その帽子には、「つば」の付いた野球帽等スポーツの時に被る形のものを児童や園児が多く被っている。【０００４】  そして、児童や園児の中には、長い髪の女の子がいて、後髪を両サイドに振り分けて束ね（３つ編み含）たりしているのをよく見る。その児童や園児たちが「つば」の付いた帽子を被っているのを見ると、両サイドの束ねた髪の毛が邪魔をするのが、帽子が頭の上の方にちょこっと乗っかっているだけで被りにくそうな児童や園児がいる。【０００５】  従来は、「つば」の付いた帽子の後正面の下方には、被り具合を調整する為のゴム状のバンドやスライド式のによる止め具が付いている。そのバンドや止め具の上部に、丸く生地が一ヶ所くり貫いてある。
【考案の開示】
【考案が解決しようとする課題】
【０００６】  従来の、「つば」の付いた帽子には、後正面の下方一ヶ所にくり貫きが付いてあるものがほとんどで、後髪を両サイドに振り分けて束ねている女の子には全く、そのくり貫きが用を足さず被りにくく不便である。
【課題を解決するための手段】
【０００７】  その、不便を解消するために、従来の一ヶ所のくり貫きを、両サイド二ヶ所に貫き変えて、束ねている後髪をそれぞれのくり貫き場所から振り分けて出すことが出来たならば、とても被りやすく便利と思われる。
【考案の効果】
【０００８】  その、くり貫きを、後正面の両サイド二ヶ所に貫き変えたことにより、振り分けて束ねている後髪を、それぞれのくり貫いてある所から出せば、帽子を深く被り、走ったりしても、頭から離れ飛んでしまうことがなくなる。
【考案を実施するための最良の形態】
【０００９】  また、それぞれの二ヶ所のくり貫き部下方に、従来と同じように、ゴム状のバンドが必要となる。被った時、頭の大きさに合った調整が必要だからだ。
【実施例】
【００１０】  その、後正面のくり貫き部の両サイド二ヶ所から、束ねている後髪をそれぞれ出すのである。詳しくは、［図１］に明記する
【産業上の利用可能性】
【００１１】  その、くり貫きを後正面の両サイド二ヶ所にくり貫いて、束ねている後髪を、くり貫き部からそれぞれ振り分けて出すことが出来たならば、児童や園児の女の子には、運動や遊びも被っている帽子が気にならず思いっきり飛び跳ねることができる。
【図面の簡単な説明】
【図１】  帽子後正面図
【符号の説明】
Ａ    帽子後正面図
１    くり貫き
２    ゴムバンド
【図１】
0003143359.tif 000003
【手続補正書】
【提出日】平成20年4月16日(2008.4.16)
【手続補正１】
【補正対象書類名】実用新案登録請求の範囲
【補正対象項目名】全文
【補正方法】変更
【補正の内容】
【実用新案登録請求の範囲】
【請求項１】
従来の、帽子の後ろ正面一ケ所のくり貫きを、両サイド２ケ所に振り分けてくり貫き，両サイドに束ねている女子の長髪を、そのくり貫きから出して被りやすくする帽子。
(57)【要約】      （修正有）【課題】足下照明を希望するコンセントの位置に自由に設定でき、光方向も１８０度変更可能で且つ高輝度、低消費電力で停電時でも消えずに点灯を続けて夜間の行動の安全が確保される足下照明灯を提供する。【解決手段】一般家庭で足下照明灯が備わった家は比較的少なく、あっても固定式で希望する位置と離れていることが多い、老齢人口の増加は大きな社会問題になっており夜間老齢者の寝起きが多く足下の暗さは体の不安定さも加わって危険である、本足下灯は点けたり消したりの手間も要らず、４６時中明るく点灯を続けしかも低消費電力で非常に経済的であり、その上光り方向を１８０度変えられることにより自由度が増している、又自然災害発生時に付きものの停電の際も消えずに明るく点灯を続けるので気を動転することもなく落ち着いて行動でき、避難の場合には支度を整え最後にコンセントから抜いて首から下げれば明るく足下を照らすから安全に避難できる。【選択図】図５
0003143356.tif 000002
【実用新案登録請求の範囲】
【請求項１】
１可変型電気プラグと直結した筐体を持ち筐体に設けられた高輝度ＬＥＤ並びに内蔵する小型蓄電池へ電流を供給する。
２可変型電気プラグから供給されたＡＣ１００Ｖ電源の一部を器具の安全のためのヒューズを通し一方ＡＣ電圧降下部で電圧を降下させる。
３その交流電圧を整流して直流とするためにダイオードブリッジの交流側の他端に接続される。
４ダイオードブリッジで整流された直流電圧のプラス側を低電圧回路に導き、更にＬＥＤ点灯用の電流制限抵抗を経てＬＥＤに所定の直流電流が与えられる。
５一方電流制限抵抗の前から電流の一部を蓄電池に供給して蓄電させ、停電に依ってＡＣ１００Ｖ電源からの電流の供給が絶たれた場合蓄電池に蓄えられた電流が電流制限抵抗を経てＬＥＤを点灯させる。
６低電圧部のマイナス側ＬＥＤのマイナス側はダイオードブリッジの直流マイナス側端子に全て接続される。
７尚本装置の正面部の電気プラグは内部に可変軸を具備しそれを中心にして１８０度希望角度に光の方向を調節できる。
【考案の詳細な説明】
【考案の詳細な説明】
【技術分野】
【０００１】本考案は高輝度ＬＥＤを照明光源とし低消費電力と停電時内蔵する蓄電池からの電流供給による照明の持続を計り、且つ可変型電気プラグを具備する事により照明方向を１８０度変更できる着脱式の足下照明灯である。
【背景技術】
【０００２】従来の足下照明灯は予め設計された位置に固定され、電球を光源としたものや度の低い蛍光灯を使ったものが多く、照明する位置が不満でも動かせないしその上停電時には消灯してしまうので使い勝手が悪い。
【考案が解決しようとする課題】
【０００３】老齢人口の増加に伴う日常生活の安全と我が国の必然的な地震や地球温暖化に伴う自然災害の多発、これら避けて通れない事態に突き当たったとき、弱者をどうやって救済するかが大きな問題で、特に夜間の行動がより安全にできるようにするには、多額の出費を要することは望めない大変難解な問題である。
【課題を解決するための手段】
【０００４】本考案は着脱自由な電気プラグを具備し、高輝度ＬＥＤと蓄電池を内蔵していて本器を希望する位置のコンセントに挿入さえすれば明るく点灯すると同時に充電を行い、７２時間でフル充電する、この後は仮に停電しても又は抜いても１２時間以上明るく点灯し続けるから、突然の停電でも慌てることなく落ち着いて行動ができ、引き抜けば懐中電灯代わりになるので緊急避難の際有効に利用できる。
【考案を実施するための最良の形態】
【０００５】本考案の電気プラグ基部と筐体間は導電性の軸で結ばれ軸を中心に筐体が１８０度回転することによりＬＥＤの光の方向が軸を中心に変えられる、これにより廊下や階段などの光の方向を変更したい時や寝室での使用の時に軸を中心とした方向に調節できる、また高輝度ＬＥＤを使用しているから遠距離を照明でき避難などの際首から下げることにより足下を先まで照らすので便利である。
【実施例】
【０００６】上述の考案の実施の項で述べたとおり。
【考案の効果】
【０００７】本考案は高輝度ＬＥＤ一個を光源にしているが発光効率が格段に高く、尚消費電力が低いので照明を必要とする複数箇所のコンセントに差し込んで置くと夜間の行動が安全且つ自由にでき、又光方向が可変軸を中心に１８０度希望方向に設定できるから便利で、その上低消費電力であるから経済的であるばかりでなく高輝度であるから寝室などに設置しておけば、夜間ふと目覚めて布団の中から枕元の物を探したり、備忘録にメモしたい時や時刻の確認などの際、光の方向が軸を中心に簡単に変えられるので重宝する、特に落雷や地震など自然災害に依る不意の停電は心を動転させるものだが、そんなときでも慌てて懐中電灯を探す必要はなく本装置が消えずに明々と点灯しているから落ち着いて行動き、加えて小型軽量であるから懐中電灯代わりとなり暗がりでの物探しや避難の時便利である。
【図面の簡単な説明】
【図１】本装置の正面図である。
【図２】本装置をコンセントに差し込む状態を上から見た平面図である。
【図３】本装置をコンセントに差し込む状態を右真横ら見た側面図である。
【図４】本装置を図４の状態を下から見た底面図である。
【図５】本装置の斜視図である。
【図６】本装置をコンセントに差し込む状態でコンセント表面方向に光りを向けた場合の側面図である
【符号の説明】
１    電気プラグ              ５    矢印Ａは筐体回転方向を示す
２    プラグ可変軸                  矢印Ｂは光の方向を示す
３    高輝度ＬＥＤ
４    筐体
【図１】
0003143356.tif 000003
【図２】
0003143356.tif 000004
【図３】
0003143356.tif 000005
【図４】
0003143356.tif 000006
【図５】
0003143356.tif 000007
【図６】
0003143356.tif 000008
【手続補正書】
【提出日】平成20年4月18日(2008.4.18)
【手続補正１】
【補正対象書類名】実用新案登録請求の範囲
【補正対象項目名】全文
【補正方法】変更
【補正の内容】
【実用新案登録請求の範囲】
【請求項１】
光の方向を１８０度変更可能な可変型電気プラグに直結した筐体を持ち筐体には高輝度ＬＥＤと小型蓄電池並びに交流電圧を整流し直流とするためのダイオードブリッジが具備された足下灯で、可変電気プラグから供給されたＡＣ１００Ｖ電源の一部をＡＣ電圧降下部で電圧を降下させ、その交流電圧を整流して直流とするためにダイオードブリッジの一端に接続させ一方交流１００Ｖ電源の他の一端は器具の安全のためのヒューズを通しダイオードブリッジの交流側の他端に接続され、ダイオードブリッジで整流された直流電圧のプラス側を定電圧回路に導き、更にＬＥＤ点灯用の電流制限抵抗を経てＬＥＤに所定の直流電流が与えられ、一方定電圧回路を経た電流の一部を蓄電池に供給して蓄電させ、停電によりＡＣ１００Ｖ電源からの電流の供給が絶たれた場合、蓄電池に蓄えられた電流が電流制限抵抗を経てＬＥＤに所定の直流電流が与えられ、定電圧部のマイナス側及び蓄電池のマイナス側並びにＬＥＤのマイナス側はダイオードブリッジの直流マイナス側端子に全て接続され、停電時にも点灯を続ける光方向可変型の足下灯。
(57)【要約】      （修正有）【課題】熟睡時にも放れ難い人体型抱き枕を提供する。【解決手段】胴体部１、頭部２、脚部３、ファスナー４よりなる人体型抱き枕の外側カバー部にゴムチューブ通し部１２、ゴムチューブ１３、ゴムチューブリング部１４、ゴムチューブ結束部１５と、内側部にクッションを内蔵し、内蔵胴体部クッション、内蔵頭部クッション、内蔵脚部上肢クッション、内蔵脚部下肢クッション、内蔵胴体部と頭部との縫込み、内蔵胴体部と内蔵脚部上肢との縫込み、内蔵脚部上肢と内蔵脚部下肢との縫込みにて屈伸自在にし、ファスナー４により、抱き枕本体の内部に挿入した。熟睡時に無意識に左右に寝返りした時でも柔軟なゴムチューブ１３により絶えず人体型抱き枕と体が連結されているので体から離れにくく睡眠時無呼吸を改善し得る。【選択図】図１
0003143352.tif 000002
【実用新案登録請求の範囲】
【請求項１】
胴体部クッションと頭部クッションを縫込みにより屈伸自在にし、胴体部クッションと脚部上肢クッションを縫込みにより屈伸自在にし、脚部上肢クッションと脚部下肢クッションを縫込みにより屈伸自在にし、人体型抱き枕の外側カバー部のファスナーより挿入してなる人体型抱き枕。
【請求項２】
人体型抱き枕の外側カバー部の胴体部分にゴムチューブ通し部を設けゴムチューブを通し、ゴムチューブリング部とゴムチューブ結束部を結合してなる人体型抱き枕。
【考案の詳細な説明】
【技術分野】
【０００１】本案は上記のごとくして、１図に示すごとく、胴体部１、頭部２、脚部３、ファスナー４よりなる人体型抱き枕の外側カバー部にゴムチューブ通し部１２、ゴムチューブ１３、ゴムチューブリング部１４、ゴムチューブ結束部１５と、２図に示すごとく、内側部にクッションを内蔵し、、内臓胴体部クッション５、内臓頭部クッション６、内臓脚部上肢クッション７、内臓脚部下肢クッション８、内臓胴体部と頭部との縫込み９、内臓胴体部と内臓脚部上肢との縫込み１０、内臓脚部上肢と内臓脚部下肢との縫込み１１にて屈伸自在にし、ファスナー４により、抱き枕本体の内部に挿入した人体型抱き枕の考案である。
【考案の開示】
【考案が解決しようとする課題】
【０００２】本案は以上の如くであるから、従来は通常の枕を長くした抱き枕や、変形の抱き枕はあるが、これらは睡眠時に体から放れ易く、すぐ仰臥位になる欠点があった。
本考案は熟睡時にも放れ難い人体型抱き枕の考案である。
【課題を解決するための手段】
【０００３】本案は、人体型抱き枕の構造が頭部と胴体を縫込みにし、胴体と脚部上肢、脚部上肢と脚部下肢とも同じく縫込みし屈伸自在にし、柔軟なゴムチューブにより絶えず人体型抱き枕と体とが連結さた人体型抱き枕の考案である。
【考案の効果】
【０００４】本案は、人体型抱き枕の構造が頭部と胴体を縫込みにしてあるので、首の凹みに腕が自然の形で通せ、胴体と脚部も同じく縫込みしてあるので、ごく自然な添い寝形でしかも足を絡めた姿勢のため自然的、物理的に、ぎゅうっと抱いて寝られるので睡眠導入的効果があるのである。
然も、熟睡時に無意識に左右に寝返りした時でも柔軟なゴムチューブにより絶えず人体型抱き枕と体が連結されているのでり体から離れにくく睡眠時無呼吸を改善し得る大きな効果を提供できる人体型抱き枕である。
人類が仰向けに寝るようになったため出現したイビキ、睡眠時無呼吸症候群による脳卒中、心筋梗塞、不眠、酸素不足による疲労等、諸病の大きな問題になっているのに当たり人体型抱き枕を抱き、頭部から胸にかけて隙間を埋めることにより体が安定し優良な睡眠を得られ、健康生活に大きな利点が得られるのである。
更に、胴体、頭部、脚部上肢、脚部下肢を縫込みされているので梱包時に折畳み縮小する事が出来、搬送費を低廉になし得る等、その益する所甚だ大である。
【図面の簡単な説明】
【０００５】
【図１】    人体型抱き枕の外形図
【図２】    人体型抱き枕の内臓クッション部分図
【図３】    人体型抱き枕のゴムチューブ部分拡大図
【符号の説明】
【０００６】  １．      人体型抱き枕の外側の胴体部
２．      人体型抱き枕の外側の頭部
３．      人体型抱き枕の外側の脚部
４．      人体型抱き枕の外側のファスナー
５．      人体型抱き枕の内臓胴体部クッション
６．      人体型抱き枕の内臓頭部クッション
７．      人体型抱き枕の内臓脚部上肢クッション
８．      人体型抱き枕の内臓脚部下肢クッション
９．      人体型抱き枕の内臓胴体部と頭部の縫込み部
１０．      人体型抱き枕の内臓胴体部と脚部上肢の縫込み部
１１．      人体型抱き枕の脚部上肢と脚部下肢の縫込み部
１２．      人体型抱き枕のゴムチューブ通し部
１３．      人体型抱き枕のゴムチューブ
１４．      人体型抱き枕のゴムチューブリング部
１５．      人体型抱き枕のゴムチューブ結束部
【図１】
0003143352.tif 000003
【図２】
0003143352.tif 000004
【図３】
0003143352.tif 000005
【手続補正書】
【提出日】平成20年4月17日(2008.4.17)
【手続補正１】
【補正対象書類名】実用新案登録請求の範囲
【補正対象項目名】全文
【補正方法】変更
【補正の内容】
【実用新案登録請求の範囲】
【請求項１】
胴体部クッションと頭部クッションを縫込みにより屈伸自在にし、胴体部クッションと脚部上肢クッションを縫込みにより屈伸自在にし、脚部上肢クッションと脚部下肢を縫込みにより屈伸自在にし、人体型抱き枕の外側カバー部のファスナーより挿入してなる人体型抱き枕。
【請求項２】
人体型抱き枕の外側カバー部の胴体部分にゴムチューブ通し部を設け、ゴムチューブ通し部に、ゴムチューブリング部とゴムチューブ結束部を結合してなる請求項１に記載の人体型抱き枕。
(57)【要約】      （修正有）【課題】ＨＢ型安全ブレーカーの電線留めビス穴に挿入することによって、感電する恐れが無くなり、丈夫で外れにくいブッシングを提供する。【解決手段】ＨＢブッシングを電線留めビスの穴に挿入すれば、感電防止ができる。このブッシングはポリエチレン樹脂で製作し、壊れにくい。円柱体の上部になべ頭を設け、取付しやすい。円柱体の中央部分の直径はビス穴の内径より少し大きめに膨らむ形にして、外れにくいので、紛失することは解決できる。、中心部の穴は測定用とし、測定するときはブッシングを外さなくても測定ができる。壊れにくく、外れにくく、すべてのＨＢ型安全ブレーカーに適合する。【選択図】図１
0003143355.tif 000002
【実用新案登録請求の範囲】
【請求項１】
電気配線工事に使用するＨＢ型安全ブレーカー（１５Ａ〜３０Ａ）の電線留めビスの箇所に使用する絶縁ブッシング。
直径７．６ｍｍ（中央部９ｍｍ位）、高さ６ｍｍの円柱体と、円柱体上部に直径１０ｍｍ、高さ２ｍｍのなべ頭と、円柱体となべ頭の縦中心に直径４ｍｍの測定用穴が設けられたブッシング。ポリエチレン樹脂素材を使用して、絶縁の役割で、感電防止用とする。（図２）
【考案の詳細な説明】
【技術分野】
【０００１】本考案は、電気配線工事に使用するＨＢ型安全ブレーカーの電線留めビスに使用する端子カバーに関するもの。
【背景技術】
【０００２】従来のＨＢ型安全ブレーカーの端子カバーは平型ですが、壊れやすいし、外れやすかった、しかもサイズが統一されていない、代替品は使えないので、とても不便です。
【考案の開示】
【考案が解決しようとする課題】
【０００３】しかしブレーカーの端子カバーを紛失すると、電線を留めるビスが裸になり、この状態で通電すると、感電する恐れがある。
【課題を解決するための手段】
【０００４】この課題を解決するための請求項１の発明は、１５Ａ〜３０ＡのＨＢ型安全ブレーカー用とし、電線留めビスの穴に直径７．６ｍｍ、高さ６ｍｍの円柱状のブッシングを挿入すれば、感電防止ができる。このブッシングは円柱体の上部に直径１０ｍｍ、高さ２ｍｍのなべ頭を設け、装着あるいは外すときは持ちやすい、また円柱体の中央部分は直径９ｍｍくらいで、電線留めビス穴の内径より少し大きめに膨らむ形にして、外れにくい。材質はポリエチレン樹脂なので、壊れにくい。中心部の穴は測定用とし、電圧測定、絶縁測定するときは、ブッシングを外さなくても測定ができる。電線の入替等に際し、細いドライバーを穴に入れて簡単に外せる（図３）。
特徴は壊れにくく、外れにくい、全てのＨＢ型安全ブレーカーに適合する。
【考案の効果】
【０００５】本考案のブッシングをＨＢ型安全ブレーカーの電線留めビス穴に挿入することによって、感電する恐れが無くなり、またこのブッシングは丈夫で外れにくいので、長く使える、価額も安価である。ＨＢブッシングはすべてのＨＢ型安全ブレーカーに適合するので、施工者は常時携帯して、安全確実な施工ができ、大変便利です。
【考案を実施するための最良の形態】
【０００６】このＨＢブッシングの円柱体となべ頭と一体型にする、中心穴は中心を貫通するよう、円柱の上下部の外径はビス穴の内径と同じにして、中央部分は少し膨らむ形にする。材質はポリエチレン樹脂製です。
【図面の簡単な説明】
【０００７】
【図１】ＨＢ型安全ブレーカー。
【図２】ＨＢブッシング。
【図３】ＨＢ型安全ブレーカーにＨＢブッシングの装着図。
【符号の説明】
【０００８】１    ブレーカー
２    ブレーカー止めビス穴
３    電線留めビス穴
４    電線留めビス
５    電線挿入穴
６    ＨＢブッシング
７    測定用穴
【図１】
0003143355.tif 000003
【図２】
0003143355.tif 000004
【図３】
0003143355.tif 000005
【手続補正書】
【提出日】平成20年4月18日(2008.4.18)
【手続補正１】
【補正対象書類名】実用新案登録請求の範囲
【補正対象項目名】全文
【補正方法】変更
【補正の内容】
【実用新案登録請求の範囲】
【請求項１】
電気配線工事に使用するＨＢ型安全ブレーカーの電線留めビスの箇所に使用するもので、円柱形で中膨らみ上部はなべ頭型で、ＨＢブレーカーの端子穴に挿入して、且つ中膨らみ部で抜け止めさせ、電圧及び漏電測定が出来るように円柱形上部より縦穴をあけたポリエチレン樹脂製で製品にした感電防止用ＨＢ絶縁ブッシング。
(57)【要約】      （修正有）【課題】ラベルの記載において、製品に含まれる生命に関わりかねないアレルギー情報の判別を容易にするため、目視によっても可能となるラベルを提供する。【解決手段】ラベルへ記載するアレルギー情報を、あらかじめ定めた色で表記する。ラベル自体に色付けをして表示するため、遠目に見た場合においても、色の識別ができた時点でアレルギー物質の特定ができるので、見落としや誤認を防ぐことができる。【選択図】図１
0003143354.tif 000002
【実用新案登録請求の範囲】
【請求項１】
店頭において、製品に含まれるアレルゲンの表示を、色彩を用いて表すことを特徴とするアレルゲン表示ラベル。
【考案の詳細な説明】
【技術分野】
【０００１】
本考案は、製品に含まれるアレルゲンの判別が容易なラベルに関するものである。
【背景技術】
【０００２】
店頭もしくは製品パッケージに記載される製品情報表示ラベルは、価格、原材料、アレルゲン含め製品の様々な情報を購入者に与える目的において実用されている。
実用の表示ラベルは、ラベルを掲載する場所や製品パッケージへの印刷箇所の制限等の問題もあり、あまり大きなラベルを使用することができないために、表示項目の数や文字数の制限があった。従来は購入者から求められる情報が数点にとどまり、文字で記載するのみで実用上十分であった。
【０００３】
しかし、製品の原材料情報や含まれるアレルギー物質も表示させようとすると、ラベルを掲載する場所等の問題もありラベルの大きさを大きくするには限界があるため、情報をたくさんのせるためには、記載する文字を小さくする必要がある。また、アレルギー物質として表示が義務付けられる物質は法令等により増えていくことがあることからも、その都度記載する文字を小さくする必要がある。そうするとラベル内に小さな文字が多数書き込まれる形となるので、何が書かれているかを確認しにくいという欠点があった。
【０００４】
アレルギー体質のある顧客が製品を購入する場合において、この欠点は大きな障害である。具体的には、自身にアレルギーのある物質が含まれている製品であるにもかかわらず、表示を見落としてまたは含まれていないと誤認して購入し摂取または使用してしまうなどの問題があった。
【０００５】
この改善策として、アレルギー物質を表形式にして記載する方法がある。しかしながらこの方法でも、ラベル内に表記する場所を設ける必要があり、文字が小さくなることや、むしろ余計見にくくなることもある。
【考案の開示】
【考案が解決しようとする課題】
【０００６】
解決しようとする問題点は、多数の情報を表示しなければならない表示ラベルにおいて、生命に関わりかねないアレルギー情報の視認が容易にできない点である。
【課題を解決するための手段】
【０００７】
本考案は、アレルギー情報を色で目視可能とするため、アレルギー情報をあらかじめ定めた色で表記させることを最も主要な特徴とする。
【考案の効果】
【０００８】
本考案のラベルは、ラベル自体に色付けをして表示するため（ただしアレルギー物質に対応する色およびラベルへの色付けの場所は問わない）、遠目に見た場合においても、色の識別ができた時点でアレルギー物質の特定ができるので、見落としや誤認を防ぐことができるという利点がある。
【考案を実施するための最良の形態】
【０００９】
限られた大きさの表示ラベルに、アレルギー情報について視認性を高めて記載するという目的を、ラベルの寸法にとらわれることなく実現した。
【実施例１】
【００１０】
以下に実施例を挙げるが、本考案はこれらの例により何ら限定されるものではない。
【００１１】
図１は、本考案の実施例であって、同図に示すようにラベル下部にアレルゲン表記をする箇所をアレルゲン表記1として、その上部に商品情報2を記載し構成されている。
【００１２】
図2は、アレルゲン表記1の拡大図であり、各アレルゲン表示部に色と文字によって製品に含まれるアレルギー物質を表示する。
【産業上の利用可能性】
【００１３】
ラベル上にアレルゲンを色で表記させることにより、目視により製品に含まれるアレルゲンを把握できるため、製品含有物を把握することが不可欠な用途にも適用できる。
【図面の簡単な説明】
【００１４】
【図１】ラベルへのアレルゲン表記の実施方法を示した説明図である。
【図２】アレルゲン表記の実施方法につき、該当部分を拡大した図である。
【符号の説明】
【００１５】
1             
アレルゲン表記
2             
商品情報
3             
アレルゲン表示部
【図１】
0003143354.tif 000003
【図２】
0003143354.tif 000004
【手続補正書】
【提出日】平成20年3月14日(2008.3.14)
【手続補正１】
【補正対象書類名】実用新案登録請求の範囲
【補正対象項目名】全文
【補正方法】変更
【補正の内容】
【実用新案登録請求の範囲】
【請求項１】
製品に含まれるアレルゲンの表示を、表示ラベルの表面の一部に色彩を付した着色表示枠部を区画形成したことを特徴とするアレルゲン表示ラベル。
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
製品に含まれるアレルゲンの表示を、表示ラベルの表面の一部に色彩を付した着色表示枠部を区画形成することで表示することを特徴とするアレルゲン表示ラベル。
【手続補正２】
【補正対象書類名】図面
【補正対象項目名】図１
【補正方法】変更
【補正の内容】
【図１】
0003143354.tif 000005